(57)【要約】  移動通信システムは、携帯端末と、携帯端末と通信可能な複数の基地局と、基地局と通信可能な連携サーバとを備えている。基地局は、基地局のエリアに出入する携帯端末を検出して連携サーバに通知する。連携サーバは、通知から携帯端末の位置情報を取得し、位置情報に基づく携帯端末の滞在履歴と、携帯端末ごとに指定されるモード設定のルールを示すスクリプトとを履歴格納手段に格納する。さらに、連携サーバは、滞在履歴に基づいてスクリプトを起動して携帯端末ごとのモード変更コマンドを決定して、モード変更コマンドを基地局に送信する。基地局は、受信したモード変更コマンドを当該基地局のエリア内の携帯端末に送信する。携帯端末は、受信したモード変更コマンドを実行してモード設定を変更する。
2011001615.tif 000002
【特許請求の範囲】
【請求項１】
携帯端末と、前記携帯端末と通信可能な複数の基地局と、前記基地局と通信可能な連携サーバとを備えた移動通信システムであって、
前記連携サーバは、
前記基地局のエリアに出入する携帯端末の検出結果から前記携帯端末の位置情報を取得する端末位置管理手段と、
端末位置管理手段によって取得された携帯端末の位置情報に基づく前記携帯端末の滞在履歴と、前記携帯端末ごとに指定されるモード設定のルールを示すスクリプトとを格納する履歴格納手段と、
履歴格納手段に格納された前記滞在履歴に基づいて前記スクリプトを起動して携帯端末ごとのモード変更コマンドを決定するルール照会手段と、
前記ルール照会手段によって決定されたモード変更コマンドを前記基地局に送信する基地局モード変更コマンド送信手段とを含み、
前記基地局は、
当該基地局のエリアに出入する携帯端末を検出して前記連携サーバに検出結果を通知する端末入出管理手段と、
前記連携サーバの基地局モード変更コマンド送信手段からモード変更コマンドを受信する基地局モード変更コマンド受信手段と、
前記基地局モード変更コマンド受信手段が受信したモード変更コマンドを格納する基地局モード変更コマンド格納手段と、
前記基地局モード変更コマンド格納手段によって格納されたモード変更コマンドを、当該基地局のエリア内に存在する前記携帯端末に送信する端末モード変更コマンド送信手段とを含み、
前記携帯端末は、
前記基地局の端末モード変更コマンド送信手段からモード変更コマンドを受信する端末モード変更コマンド受信手段と、
前記端末モード変更コマンド受信手段が受信したモード変更コマンドを実行して当該携帯端末のモード設定を変更するモード変更手段とを含む
ことを特徴とする移動通信システム。
【請求項２】
ルール照合手段は、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する
請求項１記載の移動通信システム。
【請求項３】
端末モード変更コマンド送信手段は、端末入出管理手段が携帯端末が当該基地局のエリアに入ったことを検出すると、当該基地局の基地局モード変更コマンド格納手段に格納されているモード変更コマンドを直ちに前記携帯端末に送信し、
ルール照合手段は、前記端末入出管理手段によって前記携帯端末が前記基地局のエリアに入ったことを通知されると、最新のモード変更コマンドを決定し、
基地局モード変更コマンド送信手段は、前記ルール照合手段によって決定された最新のモード変更コマンドを基地局モード変更コマンド受信手段に送信し、
端末モード変更コマンド送信手段は、前記基地局モード変更コマンド受信手段が受信した最新のモード変更コマンドを前記携帯端末に改めて送信する
請求項１または請求項２記載の移動通信システム。
【請求項４】
モード変更手段は、モード変更コマンドに時差が設定されている場合には、当該モード変更コマンドの実行を設定された時間の分だけ遅らせて開始する
請求項１から請求項３のうちのいずれか１項に記載の移動通信システム。
【請求項５】
モード変更コマンドは、携帯端末が所定の基地局のエリアに入ったときに実行されるＩＮコマンド、または、携帯端末が所定の基地局のエリアから出たときに実行されるＯＵＴコマンドである
請求項１から請求項４のうちのいずれか１項に記載の移動通信システム。
【請求項６】
携帯端末は、
ＯＵＴコマンドを格納したコマンド格納手段と、
前記携帯端末が通信する基地局の変更を検出する基地局情報取得手段とを備え、
前記基地局情報取得手段が、前記携帯端末が、前記コマンド格納手段に格納されたＯＵＴコマンドで指定される基地局と通信を行わなくなったことを検出すると、モード変更手段は、前記ＯＵＴコマンドを実行して当該携帯端末のモード設定を変更する
請求項５記載の移動通信システム。
【請求項７】
モード変更コマンドは、携帯端末のキー操作をロックするモードの設定を変更する
請求項１から請求項６のうちのいずれか１項に記載の移動通信システム。
【請求項８】
モード変更コマンドは、携帯端末のマナーモードの設定を変更する
請求項１から請求項７のうちのいずれか１項に記載の移動通信システム。
【請求項９】
モード変更コマンドは、携帯端末の無線ＬＡＮ機能の設定を変更する
請求項１から請求項８のうちのいずれか１項に記載の移動通信システム。
【請求項１０】
モード変更コマンドは、携帯端末の電源状態の設定を変更する
請求項１から請求項９のうちのいずれか１項に記載の移動通信システム。
【請求項１１】
基地局は、ある業務空間の出入り口をエリアとする１つ以上の基地局と、前記業務空間の内部をエリアとする複数の基地局とを含み、
ルール照会手段は、携帯端末が前記基地局のエリアに出入した滞在履歴に基づいて、当該携帯端末が前記業務空間から外に出たか、または前記業務空間の中に入ったかをモード設定を変更する条件とするモード変更コマンドを決定する
請求項１から請求項１０のうちのいずれか１項に記載の移動通信システム。
【請求項１２】
携帯端末と通信可能な複数の基地局と、前記基地局と通信可能な連携サーバとを備えた移動通信システムであって、
前記連携サーバは、
前記基地局のエリアに出入する携帯端末の検出結果から前記携帯端末の位置情報を取得する端末位置管理手段と、
端末位置管理手段によって取得された携帯端末の位置情報に基づく前記携帯端末の滞在履歴と、前記携帯端末ごとに指定されるモード設定のルールを示すスクリプトとを格納する履歴格納手段と、
履歴格納手段に格納された前記滞在履歴に基づいて前記スクリプトを起動して携帯端末ごとのモード変更コマンドを決定するルール照会手段と、
前記ルール照会手段によって決定されたモード変更コマンドを前記基地局に送信する基地局モード変更コマンド送信手段とを含み、
前記基地局は、
当該基地局のエリアに出入する携帯端末を検出して前記連携サーバに検出結果を通知する端末入出管理手段と、
前記連携サーバの基地局モード変更コマンド送信手段からモード変更コマンドを受信する基地局モード変更コマンド受信手段と、
前記基地局モード変更コマンド受信手段が受信したモード変更コマンドを格納する基地局モード変更コマンド格納手段と、
前記基地局モード変更コマンド格納手段によって格納されたモード変更コマンドを、当該基地局のエリア内に存在する前記携帯端末に送信する端末モード変更コマンド送信手段とを含む
ことを特徴とする移動通信システム。
【請求項１３】
ルール照合手段は、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する
請求項１２記載の移動通信システム。
【請求項１４】
端末モード変更コマンド送信手段は、端末入出管理手段が携帯端末が当該基地局のエリアに入ったことを検出すると、当該基地局の基地局モード変更コマンド格納手段に格納されているモード変更コマンドを直ちに前記携帯端末に送信し、
ルール照合手段は、前記端末入出管理手段によって前記携帯端末が前記基地局のエリアに入ったことを通知されると、最新のモード変更コマンドを決定し、
基地局モード変更コマンド送信手段は、前記ルール照合手段によって決定された最新のモード変更コマンドを基地局モード変更コマンド受信手段に送信し、
端末モード変更コマンド送信手段は、前記基地局モード変更コマンド受信手段が受信した最新のモード変更コマンドを前記携帯端末に改めて送信する
請求項１２または請求項１３記載の移動通信システム。
【請求項１５】
携帯端末と、前記携帯端末と通信可能な複数の基地局と、前記基地局と通信可能な連携サーバとを備えた移動通信システムにおける携帯端末のモード設定を変更する自動モード変更方法であって、
前記基地局が、
当該基地局のエリアに出入する携帯端末を検出して前記連携サーバに検出結果を通知し、
前記連携サーバが、
前記基地局から通知された検出結果から前記携帯端末の位置情報を取得し、
取得した携帯端末の位置情報に基づく前記携帯端末の滞在履歴と、前記携帯端末ごとに指定されるモード設定のルールを示すスクリプトとを履歴格納手段に格納し、
前記履歴格納手段に格納された前記滞在履歴に基づいて前記スクリプトを起動して携帯端末ごとのモード変更コマンドを決定し、
前記決定したモード変更コマンドを前記基地局に送信し、
前記基地局が、
前記連携サーバからモード変更コマンドを受信して基地局モード変更コマンド格納手段に格納し、
前記基地局モード変更コマンド格納手段に格納された前記モード変更コマンドを当該基地局のエリア内に存在する前記携帯端末に送信し、
前記携帯端末が、
前記基地局から前記モード変更コマンドを受信し、
受信した前記モード変更コマンドを実行して当該携帯端末のモード設定を変更する
ことを特徴とする自動モード変更方法。
【請求項１６】
連携サーバが、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する
請求項１５記載の自動モード変更方法。
【請求項１７】
基地局が、携帯端末が当該基地局のエリアに入ったことを検出すると、当該基地局に格納されているモード変更コマンドを直ちに前記携帯端末に送信し、
検出結果が通知された連携サーバが、決定された最新のモード変更コマンドを受信すると、前記最新のモード変更コマンドを前記携帯端末にあらためて送信する
請求項１５または請求項１６記載の自動モード変更方法。
【発明の詳細な説明】
【技術分野】
【０００１】
本発明は、基地局を経由して通話を行う携帯端末のための移動通信システムにおいて、携帯端末の基地局のエリアにおける移動状態に従って、携帯端末のモードを自動的に変更する移動通信システムおよび自動モード変更方法に関する。
【背景技術】
【０００２】
携帯端末（例えば、携帯電話機）には、さまざまなモードが用意され、ユーザはそれらのモードを設定することができる。例えば、他人に操作させないようにするキー操作のロック、着信音を鳴らさないようにするマナーモードの設定、無線ＬＡＮを使うか否かを決める通信モードの選択設定、データ転送の可否設定、および、プレゼンスの設定などが存在する。しかし、モード設定は、手動で設定する必要があるので、モードの種類が増えるにしたがって、モード設定の手間が増えたり、モードの設定を忘れてしまうなどの不便が発生する。【０００３】
特許文献１には、契約者・使用者の行動パターンに応じてマナーモードの設定／解除の要否を設定することができる携帯電話システムが記載されている。特許文献１に記載された携帯電話システムでは、ＧＰＳ機能によって提供される携帯電話機の位置情報に基づいた移動情報が、契約者・使用者によって予め登録されたたマナーモードの設定／解除の条件に一致する場合に、携帯電話機のマナーモードの設定または解除が実施される。【０００４】
また、特許文献２には、基地局識別情報を位置情報として利用する携帯電話システムが記載されている。特許文献２に記載された携帯電話システムでは、携帯電話機は、ＧＰＳ機能が搭載されていない携帯電話機であっても、携帯電話機が基地局から受信する基地局識別情報に基づいて、基地局に関連付けて携帯電話機に設定されている動作（例えば、アラーム通知）を実行することができる。
【先行技術文献】
【特許文献】
【０００５】
【特許文献１】特開２００３−２０９８８４号公報（段落００２０）
【特許文献２】特開２００５−２２３８２５号公報（段落０００８，段落００３０−００３１）
【発明の概要】
【発明が解決しようとする課題】
【０００６】
しかし、特許文献１に記載された携帯電話システムでは、契約者・使用者が携帯電話機におけるモードの設定／解除の条件を登録するので、携帯端末システムの管理者がモードの設定／解除の条件を登録することはできない。また、移動情報を得るために、ＧＰＳ機能を備えていない携帯電話機では、位置情報に基づいた移動情報を得ることができない。【０００７】
特許文献２に記載された携帯電話システムでは、携帯電話機が特定の基地局の圏内（エリア内：ゾーン内）に入ったか、または特定の基地局の圏内から出たかを検出してアラーム通知などの所定の動作を実施することができるが、複数の基地局の圏内の通過順序を含む設定条件を基にして、携帯電話機に所定の動作を実施させるものではない。例えば、携帯電話機が地域Ａに入った時にアラーム通知を行う設定である場合に、地域Ｂから地域Ａに入った場合と地域Ｃから地域Ａに入った場合とで、異なる動作を設定することはできない。【０００８】
そこで、本発明は、複数の基地局が連携し、携帯端末による基地局のエリアへの出入に連動して携帯端末のモード設定を変更する移動通信システムおよび自動モード変更方法を提供することを目的とする。
【課題を解決するための手段】
【０００９】
本発明による移動通信システムは、携帯端末と、携帯端末と通信可能な複数の基地局と、基地局と通信可能な連携サーバとを備えた移動通信システムであって、連携サーバは、基地局のエリアに出入する携帯端末の検出結果から携帯端末の位置情報を取得する端末位置管理手段と、端末位置管理手段によって取得された携帯端末の位置情報に基づく携帯端末の滞在履歴と、携帯端末ごとに指定されるモード設定のルールを示すスクリプトとを格納する履歴格納手段と、履歴格納手段に格納された滞在履歴に基づいてスクリプトを起動して携帯端末ごとのモード変更コマンドを決定するルール照合手段と、ルール照合手段によって決定されたモード変更コマンドを基地局に送信する基地局モード変更コマンド送信手段とを含み、基地局は、当該基地局のエリアに出入する携帯端末を検出して連携サーバに検出結果を通知する端末入出管理手段と、連携サーバの基地局モード変更コマンド送信手段からモード変更コマンドを受信する基地局モード変更コマンド受信手段と、基地局モード変更コマンド受信手段が受信したモード変更コマンドを格納する基地局モード変更コマンド格納手段と、基地局モード変更コマンド格納手段によって格納されたモード変更コマンドを、当該基地局のエリア内に存在する携帯端末に送信する端末モード変更コマンド送信手段とを含み、携帯端末は、基地局の端末モード変更コマンド送信手段からモード変更コマンドを受信する端末モード変更コマンド受信手段と、端末モード変更コマンド受信手段が受信したモード変更コマンドを実行して当該携帯端末のモード設定を変更するモード変更手段とを含むことを特徴とする。【００１０】
本発明による自動モード変更方法は、携帯端末と、携帯端末と通信可能な複数の基地局と、基地局と通信可能な連携サーバとを備えた移動通信システムにおける携帯端末のモード設定を変更する自動モード変更方法であって、基地局が、当該基地局のエリアに出入する携帯端末を検出して連携サーバに検出結果を通知し、連携サーバが、基地局から通知された検出結果から携帯端末の位置情報を取得し、取得した携帯端末の位置情報に基づく携帯端末の滞在履歴と、携帯端末ごとに指定されるモード設定のルールを示すスクリプトとを履歴格納手段に格納し、履歴格納手段に格納された滞在履歴に基づいてスクリプトを起動して携帯端末ごとのモード変更コマンドを決定し、決定したモード変更コマンドを基地局に送信し、基地局が、連携サーバからモード変更コマンドを受信して基地局モード変更コマンド格納手段に格納し、基地局モード変更コマンド格納手段に格納されたモード変更コマンドを当該基地局のエリア内に存在する携帯端末に送信し、携帯端末が、基地局からモード変更コマンドを受信し、受信したモード変更コマンドを実行して当該携帯端末のモード設定を変更することを特徴とする。
【発明の効果】
【００１１】
本発明によれば、複数の基地局から取得する携帯端末の滞在履歴と携帯端末ごとに指定されるルールとを基にして連携サーバでモード変更コマンドを生成し、モード変更コマンドが基地局を通じて携帯端末に送信されて実行されるので、携帯端末による基地局のエリアへの出入に連動し、かつ、複数の基地局が連携したルールにも対応して、携帯端末のモード設定を自動的に変更することができる。
【図面の簡単な説明】
【００１２】
【図１】本発明による移動通信システムの一実施形態の構成を示すブロック図である。
【図２】図１に示す移動通信システムの詳細な構成を示すブロック図である。
【図３】図２に示すルール・履歴ＤＢに格納されるデータの構造の一例を示す説明図である。
【図４】図２に示す移動通信システムにおいて用いられるデータの構造の一例を示す説明図である。
【図５】ＩＮコマンドを実行する際の連携サーバ、基地局および携帯端末の動作を示すシーケンス図である。
【図６】ＯＵＴコマンドを実行する際の連携サーバ、基地局および携帯端末の動作を示すシーケンス図である。
【図７】複数の基地局を連携したルールを実行する際の連携サーバ、基地局および携帯端末の動作を示すシーケンス図である。
【図８】モード変更コマンドの具体的な記述の一例を示す説明図である。
【図９】図１に示された移動通信システムにおける一実施例を示す説明図である。
【図１０】図１に示された移動通信システムにおける他の実施例を示す説明図である。
【図１１】本発明による移動通信システムの主要な構成を示すブロック図である。
【発明を実施するための形態】
【００１３】
図１は、本発明による移動通信システムの一実施形態の構成を示すブロック図である。図１を参照して、本発明による移動通信システムの一実施形態の構成を概説する。
【００１４】
図１に示す移動通信システムは、連携サーバ１１０、複数の基地局１２０Ａ，１２０Ｂ，１２０Ｃ、および複数の携帯端末１３０を備えている。なお、連携サーバ１１０は、外部基地局１００を管理しない。
【００１５】
連携サーバ１１０は、基地局１２０Ａ，１２０Ｂ，１２０Ｃを管轄し、通信を行う。図１には、３つの基地局１２０Ａ，１２０Ｂ，１２０Ｃが示されているが、連携サーバ１１０は、４つ以上の基地局を管轄してもよい。基地局１２０Ａ，１２０Ｂ，１２０Ｃは、連携サーバ１１０の管轄内にあるフェムトセルや無線ＬＡＮ基地局などの小規模基地局である。外部基地局１００は、マクロセルの外部基地局および連携サーバ１１０の管轄外の小規模基地局である。連携サーバ１１０は、外部基地局１００には関知しない。図１に示す各基地局を中心とする円は、それぞれの基地局が携帯端末１３０と通信可能な範囲（エリア）を示す。携帯端末１３０がある基地局のエリア（携帯端末と通信可能なゾーン）に存在する場合には、携帯端末１３０は当該基地局と通信を行うことができるとする。
【００１６】
連携サーバ１１０は、連携サーバ１１０配下にある基地局１２０Ａ，１２０Ｂ，１２０Ｃと通信を行い、携帯端末１３０が基地局１２０Ａ，１２０Ｂ，１２０Ｃのエリアに出入りした情報（出入情報）を取得する。連携サーバ１１０は、モード変更コマンドを生成し、基地局１２０Ａ，１２０Ｂ，１２０Ｃに携帯端末ごとのモード変更コマンドを配布する。携帯端末１３０が基地局１２０Ａ，１２０Ｂまたは１２０Ｃのエリアに存在するときには、携帯端末１３０は、存在するエリアの基地局からモード変更コマンドを受信する。携帯端末１３０は、受信したモード変更コマンドに従って、指定されたタイミングで携帯端末１３０のモード変更を実施する。
【００１７】
図２は、図１に示す移動通信システムの詳細な構成を示すブロック図である。図３は、図２に示すルール・履歴ＤＢに格納されるデータの構造の一例を示す説明図である。図４は、図２に示す移動通信システムにおいて用いられるデータの構造の一例を示す説明図である。図２〜図４を参照して、図１に示す移動通信システムの詳細な構成を説明する。
【００１８】
なお、図２に示す移動通信システムでは、基地局１２０Ａが示されているが、連携サーバ１１０に管轄される基地局１２０Ｂおよび１２０Ｃの構成も、図２に示す基地局１２０Ａの構成と同じである。
【００１９】
連携サーバ１１０は、端末位置管理手段１１１、ルール照合手段１１２、基地局モード変更コマンド送信手段１１３およびルール・履歴ＤＢ１１４を含む。連携サーバ１１０の各手段は、例えば、プログラムに従って制御を行うＣＰＵによって実現される。
【００２０】
端末位置管理手段１１１は、複数の基地局１２０Ａ，１２０Ｂ，１２０Ｃの端末入出管理手段１２３から、それぞれの基地局のエリアにおける携帯端末１３０の出入情報を受信する。端末位置管理手段１１１は、複数の基地局１２０Ａ，１２０Ｂ，１２０Ｃから受信した出入情報に基づいて、携帯端末１３０が滞在した基地局のエリアの履歴を示す滞在履歴を、ルール・履歴ＤＢ１１４に格納する。ルール・履歴ＤＢ１１４の端末情報３１０の基地局滞在履歴３１３には、携帯端末ごとの滞在履歴が格納されており、端末位置管理手段１１１によって携帯端末１３０の滞在履歴が格納されると、携帯端末１３０に対応する基地局滞在履歴３１３が更新される。
【００２１】
ルール照合手段１１２は、ルールを起動して携帯端末１３０の滞在履歴に基づいて、モード変更コマンド３３０を含む基地局内モード変更コマンドデータ３４０を生成する。基地局モード変更コマンド送信手段１１３は、生成した基地局内モード変更コマンドデータ３４０を基地局１２０Ａの基地局モード変更コマンド受信手段１２１に送信する。
【００２２】
図３に示す端末情報３１０には、端末ＩＤ３１１、ルールＩＤ群３１２および基地局滞在履歴３１３が含まれる。端末情報３１０は、携帯端末ごとに設定されているルールおよび滞在履歴を示す。端末ＩＤ３１１は、携帯端末ごとに設定される。ルールＩＤ群３１２には、端末ＩＤ３１１によって特定される携帯端末に設定されているルールを特定できる全てのルールＩＤ３２１が格納される。ルール情報３２０を参照することによって、ルールＩＤ３２１に対応するルールのスクリプトを特定することができる。
【００２３】
基地局滞在履歴３１３は、当該携帯端末１３０が、いつ、どの基地局のエリアに存在したかの履歴を示す。例えば、ある携帯端末１３０が、基地局１２０Ａ、基地局１２０Ｂ、そして基地局１２０Ｃの順番で、各基地局のエリアを移動した場合に、基地局のエリアに入ることをＩＮ、出ることをＯＵＴと表現するならば、携帯端末１３０の端末情報３１０の基地局滞在履歴３１３には、「基地局１２０Ａ  ＩＮ→基地局１２０Ａ  ＯＵＴ→基地局１２０Ｂ  ＩＮ→基地局１２０Ｂ  ＯＵＴ→基地局１２０Ｃ  ＩＮ」という履歴が保存される。なお、ルール・ＤＢ履歴１１４に格納されるデータが溢れることを防止するために、履歴の数の最大値を設定しておき、履歴の数が最大値を超える場合には古い履歴を削除してもよい。
【００２４】
端末位置管理手段１１１によって基地局滞在履歴３１３が更新されると、ルール照合手段１１２が起動される。ルール照合手段１１２は、更新された基地局滞在履歴３１３が属する端末情報３１０を参照して、ルールの照合を行う。ルールの照合において、ルール照合手段１１２は、参照した端末情報３１０のルールＩＤ群３１２に格納されている１つ以上のルールＩＤ３２１を確認し、それぞれのルールＩＤ３２１が属するルール情報３２０を参照する。ルール照合手段１１２は、参照したルール情報３２０のスクリプト３２２を起動してルールの実行を行う。
【００２５】
ルール情報３２０には、ルールＩＤ３２１と、ルールＩＤ３２１に対応するスクリプト３２２とが含まれる。ルール情報３２０は、所定の条件で所定のコマンドを実行するというルールを格納する。ルールＩＤ３２１は、ルールごとに設定される。スクリプト３２２には、ルールの具体的な内容が記述されている。スクリプト３２２は、条件式と実行コマンドを含む。
【００２６】
スクリプト３２２の記述例を説明する。スクリプト３２２は、例えば、「if (基地局１２０Ａ  ＩＮ) then {コマンドＸ送信} 」や、「if (基地局１２０Ｂ  ＯＵＴ) then {コマンドＹ送信} 」などの一般的な条件式を記述するスクリプト言語で表現される。ここで、「基地局１２０Ａ  ＩＮ」という条件式は、（携帯端末１３０が）基地局１２０Ａのエリアに入ったことを示し、「基地局１２０Ｂ  ＯＵＴ」という条件式は、（携帯端末１３０が）基地局１２０Ｂのエリアから出たことを示す。「コマンドＸ送信」や「コマンドＹ送信」は、それぞれの条件式に付する実行コマンドである。
【００２７】
また、複数の基地局を連携させたスクリプト３２２の記述例としては、例えば、どちらの基地局でもよい場合には「if ( (基地局１２０Ａ  ＩＮ) or (基地局１２０Ｂ  ＩＮ) ) then {コマンドＺ送信} 」とし、すべての基地局とする場合には「if (1 ) then {コマンドＺ送信} 」のように記述する。
【００２８】
また、携帯端末１３０が基地局のエリアを通過する順序を条件に考慮する場合には、例えば、「if ( ( (基地局１２０Ａ  ＩＮ) or (基地局１２０Ａ  ＯＵＴ) ) < ( 基地局１２０Ｂ  ＩＮ) ) then {コマンドＺ送信} 」として記述する。この記述は、携帯端末１３０が基地局１２０Ａのエリアに入るか出るかした後に、基地局１２０Ｂのエリアに入った場合に、コマンドＺを送信することを示す。さらに、基地局１２０Ａと基地局１２０Ｂのエリア外の基地局が、基地局１２０Ａから基地局１２０Ｂに移動する間に何エリアか入ってもよいとする場合、例えば、３つの状態が入ってもよいとする場合には、「if (基地局１２０Ａ  ＩＮ) | ( 基地局１２０Ａ  ＯＵＴ) <3< ( 基地局１２０Ｂ  ＩＮ) ) then {コマンドＺ送信} 」と記述する。
【００２９】
また、複数のモード変更コマンドを送信する場合には、例えば、「if (基地局１２０Ａ  ＩＮ) then {コマンドＸ送信; コマンドＹ送信; コマンドＺ送信} 」と記述する。この記述は、携帯端末１３０が基地局１２０Ａのエリアに入った場合に、コマンドＸ，Ｙ，Ｚを送信することを示す。送信するコマンドＸ，Ｙ，Ｚは、コマンドごとに設定されたコマンドＩＤ３３１で指定される。コマンドＩＤ３３１は、ルール・履歴ＤＢ１１４に格納されているモード変更コマンド３３０に記載されている。
【００３０】
なお、ルール照合手段１１２は、システム管理者がルールを登録または更新した後の最初の１回に限って、全ての携帯端末１３０について、全ての基地局１２０Ａ，１２０Ｂ，１２０ＣにＯＵＴコマンド（ＯＵＴコマンドについては、後述する。）として、ルールを実行させる。すると、連携サーバ１１０の基地局モード変更コマンド送信手段１１３から、全ての基地局１２０Ａ，１２０Ｂ，１２０Ｃに、デフォルトのモード変更コマンド３３０が配信される。この動作によって、連携サーバ１１０が管轄する基地局１２０Ａ，１２０Ｂ，１２０Ｃのエリアに、携帯端末１３０が入った場合に、連携サーバ１１０に問い合わせが行われるよりも前に、各基地局から携帯端末１３０のモードを変更することができるようになる。
【００３１】
ルール照合手段１１２は、端末情報３１０のルールＩＤ群３１２に格納されているルールＩＤ３２１から参照できる複数のルール情報３２０を基に、複数のモード変更コマンド３３０を生成する。
【００３２】
モード変更コマンド３３０には、コマンドＩＤ３３１、実行タイミング３３２、時差３３３、モード種別３３４および変更モード３３５を示すデータが含まれる。コマンドＩＤ３３１は、モード変更コマンドごとに設定される。
【００３３】
実行タイミング３３２は、属するモード変更コマンド３３０が実行されるタイミングを示す。具体的には例えば、携帯端末１３０がある基地局のエリアに入ったときに起動するコマンドである場合には「ＩＮコマンド」、携帯端末１３０がある基地局のエリアから出たときに起動するコマンドである場合には「ＯＵＴコマンド」として実行タイミング３３２が記憶される。
【００３４】
時差３３３は、携帯端末１３０が所定の基地局のエリアに出入したタイミングから所定時間経過後にモード変更コマンド３３０が実行される場合の所定時間を示す。実行タイミング３３２が「ＩＮコマンド」である場合には、携帯端末１３０が所定の基地局のエリアに入った時間を基準とし、実行タイミング３３２が「ＯＵＴコマンド」である場合には、携帯端末１３０が所定の基地局のエリアから出た時間を基準とする。例えば、実行タイミング３３２が「ＩＮコマンド」かつ、時差３３３が「０秒」である場合には、携帯端末１３０が所定の基地局のエリアに入ると即時に、モード変更コマンド３３０が実行される。また、例えば、実行タイミング３３２が「ＯＵＴコマンド」かつ、時差３３３が「３秒」であれば、携帯端末１３０が所定の基地局のエリアから出てから３秒後に、モード変更コマンド３３０が実行される。
【００３５】
モード種別３３４は、モード変更コマンド３３０によって実行されるモードの種別を示す。モード種別３３４には、例えば、マナーモード、キー操作ロック、無線ＬＡＮモードなどに対応する所定のコードが記載される。変更モード３３５は、属するモード変更コマンド３３０のモード種別３３４に応じて、モード変更後に設定されるモードが記載される。例えば、モード種別３３４にマナーモードやキー操作ロックが示されている場合には、変更モード３３５には、ＯＮ／ＯＦＦのいずれかが記載される。モード種別３３４に無線ＬＡＮモードが示されている場合には、変更モード３３５には、公衆専用、無線ＬＡＮ専用、公衆優先、または無線ＬＡＮ優先などが記載される。なお、モード変更コマンド３３０は、コマンドＩＤ３３１ごとに異なるモード種別３３４が記載されてもよい。
【００３６】
図８は、モード変更コマンドの具体的な記述の一例を示す説明図である。コマンド６１０は、具体的に記述されるモード変更コマンド３３０の一例である。コマンド６１０は、実行タイミング６１１、モード種別６１２および変更モード６１３を有する。
【００３７】
実行タイミング６１１には、「即時」実行、「１０秒後」に実行、「１分後」に実行、または、「５分後」に実行などを記述することができる。モード種別６１２には、マナーモード、キー操作ロックといった携帯電話機に標準的に備わっているモードを指定できる他に、無線ＬＡＮモードや電源モードといった、特殊なモードを指定することもできる。変更モード６１３は、モード種別６１２で指定されたモードについてどの状態を設定するか（例えば、ＯｎまたはＯｆｆ）を示す。
【００３８】
ルール照合手段１１２は、ルール情報３２０のスクリプト３２２の条件式で記述されている基地局に対して、スクリプト３２２のコマンドから決定されるモード変更コマンド３３０を生成する。その結果、それぞれの基地局に対して、複数のモード変更コマンド３３０が生成されるので、ルール照合手段１１２は、基地局ごとに複数のモード変更コマンド３３０の内容をまとめて基地局内モード変更コマンドデータ３４０を生成する。基地局内モード変更コマンドデータ３４０の生成によって、ルールの照合が完了する。
【００３９】
基地局内モード変更コマンドデータ３４０は、ある基地局において、携帯端末ごとに、どのようなモード変更コマンドまたはルールを実行するかを示す。基地局内モード変更コマンドデータ３４０には、端末ＩＤ３４１、ＩＮコマンド群３４２、およびＯＵＴコマンド群３４３が含まれる。端末ＩＤ３４１は、端末情報３１０の端末ＩＤ３１１と対応している。ＩＮコマンド群３４１およびＯＵＴコマンド群３４２には、ＩＮコマンドとＯＵＴコマンドとを別々に管理できるように、モード変更コマンド３３０の実行タイミング３３２の記述に従って、モード変更コマンド３３０がＩＮコマンドまたはＯＵＴコマンドに分けて格納される。別々に管理できるようにする理由は、ＩＮコマンドとＯＵＴコマンドは動作するタイミングが異なるからである。特に、ＯＵＴコマンドは、携帯端末１３０が所定の基地局のエリアから出たときに動作する必要があるので、携帯端末１３０にＯＵＴコマンドの内容を蓄積させる必要がある。
【００４０】
基地局モード変更コマンド送信手段１１３は、ルールの照合が完了した携帯端末ごと、または基地局ごとに、ルール照合手段１１２によって生成された基地局内モード変更コマンドデータ３４０を、該当する基地局１２０Ａの基地局モード変更コマンド受信手段１２１に送信する。このとき、基地局内モード変更コマンドデータ３４０は、携帯端末１３０がエリアに入った基地局１２０Ａだけでなく、スクリプト３３２で参照されている全ての基地局１２０Ａに対して送信される。
【００４１】
ルール・履歴ＤＢ１１４には、図３に示す端末情報３１０、ルール情報３２０およびモード変更コマンド３３０が格納されている。端末情報３１０、ルール情報３２０およびモード変更コマンド３３０は、システム管理者などからあらかじめデータベースとして入力されてもよい。これらの情報を、それぞれの基地局（例えば、基地局１２０Ａ，１２０Ｂ，１２０Ｃ）で入力するのではなく、連携サーバ１１０が一括して入力し格納することによって、メンテナンスが容易になる。
【００４２】
基地局１２０Ａは、基地局モード変更コマンド受信手段１２１、端末モード変更コマンド送信手段１２２、端末入出管理手段１２３、およびモード変更コマンドＤＢ１２４を含む。基地局１２０Ａの各手段は、例えば、プログラムに従って制御を行うＣＰＵによって実現される。
【００４３】
基地局モード変更コマンド受信手段１２１は、連携サーバ１１０の基地局モード変更コマンド送信手段１１３から基地局内モード変更コマンドデータ３４０を受信する。基地局モード変更コマンド受信手段１２１は、受信した基地局内モード変更コマンドデータ３４０をモード変更コマンドＤＢ１２４に格納する。そして、受信した基地局内モード変更コマンドデータ３４０に記述されている携帯端末１３０が基地局１２０Ａのエリアに入っていない場合には、当該携帯端末１３０が基地局１２０Ａのエリアに入ってくるのを待つ。当該携帯端末１３０が、基地局１２０Ａのエリアに入った場合、または既に入っている場合には、端末モード変更コマンド送信手段１２２に制御を渡す。
【００４４】
端末モード変更コマンド送信手段１２２は、携帯端末１３０の端末モード変更コマンド受信手段１３１に、モード変更コマンド３３０が格納されている携帯端末内モード変更コマンドデータ３５０を送信する。基地局モード変更コマンド受信手段１２１による動作が終了して端末モード変更コマンド送信手段１２２に制御が渡されると、端末モード変更コマンド送信手段１２２が起動する。また、端末入出管理手段１２３が基地局１２０Ａのエリアに携帯端末１３０が入ったことを検出し、かつ、モード変更コマンドＤＢ１２４に当該携帯端末１３０についての基地局内モード変更コマンドデータ３４０が格納されている場合にも、端末モード変更コマンド送信手段１２２が起動する。
【００４５】
起動した端末モード変更コマンド送信手段１２２は、モード変更コマンドＤＢ１２４に格納された複数の基地局内モード変更コマンドデータ３４０を参照し、ある携帯端末１３０を示す端末ＩＤ３４１について、ＩＮコマンド群３４２をＩＮコマンド群３５２にコピーし、ＯＵＴコマンド群３４３をＯＵＴコマンド群３５３にコピーして、携帯端末内モード変更コマンドデータ３５０を生成する。端末モード変更コマンド送信手段１２２は、生成した携帯端末内モード変更コマンドデータ３５０を当該携帯端末１３０の端末モード変更コマンド受信手段１３１に送信する。
【００４６】
端末入出管理手段１２３は、携帯端末１３０が基地局１２０Ａのエリアに入ったか、または基地局１２０Ａのエリアから出たかを検出すると、連携サーバ１１０の端末位置管理手段１１１に出入情報を通知する。また、端末入出管理手段１２３は、携帯端末１３０が基地局１２０Ａのエリアに入ったときに、モード変更コマンドＤＢ１２４に当該携帯端末１３０に対応する基地局内モード変更コマンドデータ３４０が格納されている場合には、端末モード変更コマンド送信手段１２２に、携帯端末内モード変更コマンドデータ３５０の送信を依頼する。
【００４７】
モード変更コマンドＤＢ１２４は、基地局内モード変更コマンドデータ３４０を格納する。基地局内モード変更コマンドデータ３４０は、基地局モード変更コマンド受信手段１２１から渡されて格納される。端末モード変更コマンド送信手段１２２は、モード変更コマンドＤＢ１２４に格納されている基地局内モード変更コマンドデータ３４０から携帯端末内モード変更コマンドデータ３５０を生成する。
【００４８】
携帯端末１３０は、端末モード変更コマンド受信手段１３１、自律的モード変更管理手段１３２、モード変更手段１３３、基地局情報取得手段１３４、および端末モード変更コマンド記憶装置１３５を含む。携帯端末１３０の各手段は、例えば、プログラムに従って制御を行うＣＰＵによって実現される。
【００４９】
端末モード変更コマンド受信手段１３１は、基地局１２０Ａの端末モード変更コマンド送信手段１２２から受信する携帯端末内モード変更コマンドデータ３５０を端末モード変更コマンド記憶装置１３５に格納する。このとき、端末モード変更コマンド受信手段１３１は、携帯端末内モード変更コマンドデータ３５０を、ＩＮコマンド群３５２またはＯＵＴコマンド群３５３ごとに端末モード変更コマンド記憶装置１３５に格納する。このとき、格納する携帯端末内モード変更コマンドデータ３５０が、ＩＮコマンド群である場合には、モード変更手段１３３を起動させる。
【００５０】
また、格納する携帯端末内モード変更コマンドデータ３５０に含まれるモード変更コマンド３３０のモード種別３３４が、既に端末モード変更コマンド記憶装置１３５に格納されていたモード変更コマンド３３０のモード種別３３４と同じである場合には、端末モード変更コマンド受信手段１３１は、携帯端末内モード変更コマンドデータ３５０を上書きして格納し、既に格納されていたモード変更コマンド３３０をキャンセルする。
【００５１】
自律的モード変更管理手段１３２は、携帯端末１３０の表示部（図示せず）や操作部（図示せず）を介してユーザから所定の操作が行われた場合に、ユーザの操作内容に応じてモードの変更を指示する。ユーザによる所定の操作が行われると、自律的モード変更管理手段１３２は、モード変更手段１３３を起動させる。
【００５２】
モード変更手段１３３は、端末モード変更コマンド受信手段１３１が受信して端末モード変更コマンド記憶装置１３５に格納する携帯端末内モード変更コマンドデータ３５０がＩＮコマンド群である場合に起動する。このとき、モード変更手段１３３は、端末モード変更コマンド記憶装置１３５に格納されている携帯端末内モード変更コマンドデータ３５０のＩＮコマンド群を抽出し、さらに、対応するモード変更コマンド３３０を抽出する。モード変更手段１３３は、抽出したモード変更コマンド３３０内の時差３３３、モード種別３３４および変更モード３３５に従って、携帯端末１３０が基地局１２０Ａのエリアに入った場合のモード変更を実現する。時差３３３が０でない場合には、指定された時間経過後にモード変更を実施する。
【００５３】
また、モード変更手段１３３は、基地局情報取得手段１３４による指令によっても起動する。このとき、モード変更手段１３３は、端末モード変更コマンド記憶装置１３５に格納されている携帯端末内モード変更コマンドデータ３５０のＯＵＴコマンド群を抽出し、さらに、対応するモード変更コマンド３３０を抽出する。モード変更手段１３３は、抽出したモード変更コマンド３３０に従って、携帯端末１３０が基地局１２０Ａのエリアから出た場合のモード変更を実施する。
【００５４】
なお、携帯端末１３０が基地局１２０Ａのエリアから出た場合に、他の基地局（例えば、基地局１２０Ｂ）のエリアに入る可能性がある。このとき、基地局１２０ＡのＯＵＴコマンドの時差を０以外に設定しておくと、基地局１２０Ｂから同一のモード変更を指示するＩＮコマンドが携帯端末１３０に送信された場合に、ＯＵＴコマンドは基地局１２０ＢからのＩＮコマンドに上書きされる。その結果、モード変更手段１３３は、同一のモード変更を複数回実行せずに済む。
【００５５】
モード変更手段１３３は、自律的モード変更管理手段１３２によって起動された場合には、自律的モード変更管理手段１３２からの指示に従って携帯端末１３０のモード変更を実施する。
【００５６】
基地局情報取得手段１３４は、携帯端末１３０が基地局１２０Ａのエリアから出た、または、携帯端末１３０と通信する基地局１２０Ａが変更されたことを検出する。検出した場合には、基地局情報取得手段１３４は、モード変更手段１３３に携帯端末内モード変更コマンドデータ３５０のＯＵＴコマンドを実行するように指令を出して制御を渡す。
【００５７】
図５は、ＩＮコマンドを実行する際の連携サーバ、基地局および携帯端末の動作を示すシーケンス図である。図５を参照して、基地局１２０Ａに関するＩＮコマンドが実行される場合の動作を説明する。
【００５８】
まず、連携サーバ１１０において、システム管理者は、ルールの登録を行う（ステップＳ４１１）。具体的には、ルール・履歴ＤＢ１１４に、端末情報３１０、ルール情報３２０およびモード変更コマンド３３０を入力する。
【００５９】
ルール照合手段１１２は、システム管理者がルールを登録または更新した後の最初の１回に限る動作として、全ての携帯端末１３０について、全ての基地局１２０Ａ，１２０Ｂ，１２０ＣにＯＵＴコマンドとしてルールを実行する（ステップＳ４１２）。すると、基地局モード変更コマンド送信手段１１３から、全ての基地局１２０Ａ，１２０Ｂ，１２０Ｃに、デフォルトのモード変更コマンド３３０が配信される（ステップＳ４１３）。基地局１２０Ａの基地局モード変更コマンド受信手段１２１は、デフォルトのモード変更コマンド３３０を受信すると、モード変更コマンドＤＢ１２４に格納する（ステップＳ４１４）。
【００６０】
次に、携帯端末１３０が基地局１２０Ａのエリアに入ると（ステップＳ４１５）、基地局１２０Ａの端末入出管理手段１２３が、携帯端末１３０が基地局１２０Ａのエリアに入ったことを検出する（ステップＳ４１６）。端末入出管理手段１２３は、検出結果を連携サーバ１１０の端末位置管理手段１１１に通知する。端末位置管理手段１１１は、携帯端末１３０の滞在履歴をルール・履歴ＤＢ１１４に格納し、端末情報３１０の基地局滞在履歴３１３を更新する。この動作によって、携帯端末１３０が基地局１２０Ａのエリアに入ったことが連携サーバ１１０で登録される（ステップＳ４２０）。
【００６１】
ステップＳ４１６において、基地局１２０Ａの端末入出管理手段１２３が携帯端末１３０が基地局１２０Ａのエリアに入ったことを検出すると、その検出をトリガーとして、端末モード変更コマンド送信手段１２２が起動される。端末モード変更コマンド送信手段１２２は、携帯端末１３０の端末モード変更コマンド受信手段１３１に携帯端末内モード変更コマンドデータ３５０を送信する（ステップＳ４１７）。
【００６２】
携帯端末１３０の端末モード変更コマンド受信手段１３１は、携帯端末内モード変更コマンドデータ３５０を受信すると（ステップＳ４１８）、モード変更手段１３３が、携帯端末１３０が基地局１２０Ａのエリアに入ったことに伴うＩＮコマンドを実行し、モード変更を行う（ステップＳ４１９）。
【００６３】
一方、ステップＳ４２０において、連携サーバ１１０の端末位置管理手段１１１によってルール・履歴ＤＢ１１４の基地局滞在履歴３１３が更新されると、ルール照合手段１１２が起動され、ルールの照合が行われる。ルールの照合において、ルール照合手段１１２は、ルール情報３２０のスクリプト３２２を起動してルールの実行を行う（ステップＳ４２１）。
【００６４】
ステップＳ４２１において、ルールの実行が行われた結果、モード変更コマンド３３０をまとめて基地局内モード変更コマンドデータ３４０が生成される。そして、基地局モード変更コマンド送信手段２１３は、生成した基地局内モード変更コマンドデータ３４０を基地局１２０Ａの基地局モード変更コマンド受信手段１２１に送信する（ステップＳ４２２）。
【００６５】
基地局１２０Ａの基地局モード変更コマンド受信手段１２１が基地局内モード変更コマンドデータ３４０を受信すると（ステップＳ４２３）、携帯端末１３０が基地局１３０Ａのエリア内に存在する場合には、端末モード変更コマンド送信手段１２２は、携帯端末１３０の端末モード変更コマンド受信手段１３１に、基地局内モード変更コマンドデータ３４０に含まれるモード変更コマンド３３０が格納されている携帯端末内モード変更コマンドデータ３５０を送信する（ステップＳ４２４）。
【００６６】
携帯端末１３０の端末モード変更コマンド受信手段１３１は、携帯端末内モード変更コマンドデータ３５０を受信すると（ステップＳ４２５）、モード変更手段１３３は、携帯端末１３０が基地局１２０Ａのエリアに入ったことに伴うＩＮコマンドを実行し、再度モード変更を行う（ステップＳ４２６）。なお、再度モード変更を行う際に、ＩＮコマンドが、ステップＳ４１８において取得したコマンドと同じコマンドであった場合には、同じモード変更が行われる。再度モード変更を行う際に、ＩＮコマンドが、ステップＳ４１８において取得したコマンドと異なるコマンドであった場合には、ステップＳ４２６におけるＩＮコマンドによって上書きされる。その結果、携帯端末１３０において、最新のモード変更コマンドが実行される。
【００６７】
図６は、ＯＵＴコマンドを実行する際の連携サーバ、基地局および携帯端末の動作を示すシーケンス図である。図６を参照して、基地局１２０Ａに関するＯＵＴコマンドが実行される場合の動作を説明する。
【００６８】
まず、基地局情報取得手段１３４が、携帯端末１３０が基地局１２０Ａのエリアから出たことを検出する（ステップＳ４３０）。基地局情報取得手段１３４からの指令によって、モード変更手段１３３は、端末モード変更コマンド記憶装置１３５に格納されている携帯端末内モード変更コマンドデータ３５０のＯＵＴコマンドを実行する（ステップＳ４３１）。ＯＵＴコマンドは、対応するモード変更コマンド３３０の時差３３３に指定されている時間経過後に起動する。
【００６９】
一方、基地局１２０Ａの端末入出管理手段１２３は、携帯端末１３０が基地局１２０Ａのエリアから出たことを検出して（ステップＳ４３２）、連携サーバ１１０の端末位置管理手段１１１に通知する。連携サーバ１１０では、端末入出管理手段からの通知を受信した端末位置管理手段１１１が、携帯端末１３０の滞在履歴をルール・履歴ＤＢ１１４に格納し、端末情報３１０の基地局滞在履歴３１３を更新する。この動作によって、携帯端末１３０が基地局１２０Ａのエリアから出たことが連携サーバ１１０で登録される（ステップＳ４３３）。基地局滞在履歴３１３が更新されると、ルール照合手段１１２が起動され、ルールの照合が行われる。ルールの照合において、ルール照合手段１１２は、ルール情報３２０のスクリプト３２２を起動してルールの実行を行う（ステップＳ４３４）。
【００７０】
ステップＳ４３４において、ルールの実行が行われた結果、モード変更コマンド３３０をまとめて基地局内モード変更コマンドデータ３４０が生成される。そして、基地局モード変更コマンド送信手段２１３は、生成した基地局内モード変更コマンドデータ３４０を基地局１２０Ａの基地局モード変更コマンド受信手段１２１に送信する（ステップＳ４３５）。
【００７１】
基地局１２０Ａの基地局モード変更コマンド受信手段１２１は、基地局内モード変更コマンドデータ３４０を受信すると、受信した基地局内モード変更コマンドデータ３４０をモード変更コマンドＤＢ１２４に格納する（ステップＳ４３６）。携帯端末１３０は基地局１２０Ａのエリアに入っていないので、コマンドは携帯端末１３０には送信されず、携帯端末１３０が次に基地局１２０Ａのエリアに入ってくるのを待つ。
【００７２】
図７は、複数の基地局を連携したルールを実行する際の連携サーバ、基地局および携帯端末の動作を示すシーケンス図である。図７を参照して、基地局１２０Ａおよび基地局１２０Ｂを連携したルールが実行される場合の動作を説明する。
【００７３】
まず、携帯端末１３０が基地局１２０Ａのエリアに入ると（ステップＳ５０１）、基地局１２０Ａの端末入出管理手段１２３は、携帯端末１３０が基地局１２０Ａのエリアに入ったことを検出して（ステップＳ５０２）、連携サーバ１１０の端末位置管理手段１１１に通知する。
【００７４】
ステップＳ５０２において、基地局１２０Ａの端末入出管理手段１２３が携帯端末１３０が基地局１２０Ａのエリアに入ったことを検出すると、その検出をトリガーとして、端末モード変更コマンド送信手段１２２が起動される。端末モード変更コマンド送信手段１２２は、携帯端末１３０の端末モード変更コマンド受信手段１３１に携帯端末内モード変更コマンドデータ３５０を送信する（ステップＳ５０３）。
【００７５】
携帯端末１３０の端末モード変更コマンド受信手段１３１は、携帯端末内モード変更コマンドデータ３５０を受信すると（ステップＳ５０４）、モード変更手段１３３が、携帯端末１３０が基地局１２０Ａのエリアに入ったことに伴うＩＮコマンドを実行し、モード変更を行う（ステップＳ５０５）。
【００７６】
一方、ステップＳ５０２において通知を受けた連携サーバ１１０では、端末入出管理手段からの通知を受信した端末位置管理手段１１１が、携帯端末１３０の滞在履歴をルール・履歴ＤＢ１１４に格納し、端末情報３１０の基地局滞在履歴３１３を更新する。この動作によって、携帯端末１３０が基地局１２０Ａのエリアに入ったことが連携サーバ１１０で登録される（ステップＳ５０６）。基地局滞在履歴３１３が更新されると、ルール照合手段１１２が起動され、ルールの照合が行われる。ルールの照合において、ルール照合手段１１２は、ルール情報３２０のスクリプト３２２を起動してルールの実行を行う（ステップＳ５０７）。なお、このスクリプト３２２には、基地局１２０Ａおよび基地局１２０Ｂを連携した条件式が記述されているとする。
【００７７】
ステップＳ５０７において、ルールの実行が行われた結果、モード変更コマンド３３０をまとめて基地局内モード変更コマンドデータ３４０が生成される。そして、基地局モード変更コマンド送信手段２１３は、生成した基地局内モード変更コマンドデータ３４０を基地局１２０Ａおよび基地局１２０Ｂの基地局モード変更コマンド受信手段１２１に送信する（ステップＳ５０８）。
【００７８】
基地局１２０Ａおよび基地局１２０Ｂの基地局モード変更コマンド受信手段１２１は基地局内モード変更コマンドデータ３４０を受信する（ステップＳ５０９）。ここで、携帯端末１３０がまだ基地局１２０Ｂのエリアに入っていない場合には、基地局１２０Ｂの基地局モード変更コマンド受信手段１２１は、受信した基地局内モード変更コマンドデータ３４０をモード変更コマンドＤＢ１２４に格納しておく。
【００７９】
次に、携帯端末１３０が基地局１２０Ｂのエリアに入ると（ステップＳ５２０）、基地局１２０Ｂの端末入出管理手段１２３は、携帯端末１３０が基地局１２０Ｂのエリアに入ったことを検出して（ステップＳ５２１）、連携サーバ１１０の端末位置管理手段１１１に通知する。
【００８０】
ステップＳ５２１において、基地局１２０Ｂの端末入出管理手段１２３が携帯端末１３０が基地局１２０Ｂのエリアに入ったことを検出すると、その検出をトリガーとして、基地局１２０Ｂの端末モード変更コマンド送信手段１２２が起動される。端末モード変更コマンド送信手段１２２は、携帯端末１３０の端末モード変更コマンド受信手段１３１に携帯端末内モード変更コマンドデータ３５０を送信する（ステップＳ５２２）。
【００８１】
携帯端末１３０の端末モード変更コマンド受信手段１３１は、携帯端末内モード変更コマンドデータ３５０を受信すると（ステップＳ５２３）、モード変更手段１３３が、携帯端末１３０が基地局１２０Ｂのエリアに入ったことに伴うＩＮコマンドを実行し、モード変更を行う（ステップＳ５２４）。ステップＳ５０５およびＳ５２４におけるＩＮコマンドの実行によって、基地局１２０Ａおよび基地局１２０Ｂを連携したルールが実行される。
【００８２】
なお、図７に示すフローチャートでは、携帯端末１３０が基地局１２０Ａのエリアから出たときの動作（例えば、図６に示すステップＳ４３０〜Ｓ４３６の動作に相当）は省略されている。また、ステップＳ５０８において、連携サーバ１１０からコマンドが配信された後に、各基地局から携帯端末１３０にコマンド配信が行われて再度のＩＮコマンドが実行される動作（例えば、図５に示すステップＳ４２２〜Ｓ４２６における動作に相当）も省略されている。
【００８３】
このような移動通信システムでは、連携サーバ１１０において、基地局１２０Ａ，１２０Ｂ，１２０Ｃから受け取る端末入出管理情報にしたがって携帯端末１３０ごとに複数の基地局のエリアにおける滞在履歴を蓄積し、ルール情報３２０を参照し、一致したパタンになったら、各基地局１２０Ａ，１２０Ｂ，１２０Ｃに対して該当携帯端末１３０のモード変更コマンド３３０を送信する。各基地局１２０Ａ，１２０Ｂ，１２０Ｃは、基地局ごとのエリアに携帯端末１３０が入るタイミングおよび出るタイミングで発行するモード変更コマンド３３０を、携帯端末１３０がそれぞれの基地局のエリアに入ったときに送信する。携帯端末１３０は、モード変更コマンド３３０に従ってモードを変更することによって、基地局１２０Ａ，１２０Ｂ，１２０Ｃが連携したモード変更も可能になり、携帯端末１３０の基地局１２０Ａ，１２０Ｂ，１２０Ｃのエリアへの出入りに連動して、きめ細かなモード変更を実現することができる。
【００８４】
また、携帯端末１３０において、各基地局から受信したモード変更コマンド３３０に従ってモード変更が実施された（例えば、図５に示すステップＳ４１７〜Ｓ４１８における動作に相当）あとに、連携サーバ１１０から各基地局を経由して携帯端末１３０にコマンド配信が行われて、再度コマンドの実行が行われる（例えば、図５に示すステップＳ４２２〜Ｓ４２６における動作に相当）ので、携帯端末１３０は、最新のモード変更コマンドを取得して実行することができる。
【００８５】
実施例１．
図９は、図１に示された移動通信システムにおける一実施例を示す説明図である。図９を参照して、小規模基地局が集中して配置されたオフィスビル（社内）から出るときに、自動的に携帯端末のキー操作ロックを有効にする実施例を説明する。
【００８６】
実施例１において、オフィスビルには、複数の小規模基地局が配置されている。例えば、オフィスビルの各フロアに複数の基地局（Ａ基地局、Ｂ基地局〜Ｙ基地局）が配置されている。オフィスビル内部の出入り口付近には、Ｚ基地局が配置されている。なお、Ａ基地局、Ｂ基地局〜Ｙ基地局、およびＺ基地局は、図１に示す複数の基地局１２０Ａ，１２０Ｂ，１２０Ｃであり、連携サーバ１１０によって管轄されている。
【００８７】
実施例１において、図９に示すルール１を設定する。ルール１には、「携帯端末１３０がＡ〜Ｙ基地局のいずれかのエリアに滞在していて、Ｚ基地局のエリアに移行したときに、キー操作ロックを実行する」ようにスクリプトを記述する。すなわち、「if (Ａ基地局ＩＮ or … or Ｙ基地局ＩＮ) < Ｚ基地局ＩＮ」 then { キー操作ロックをＯＮにするコマンドを即時実行} 」のように記述する。このようなルール１を設定することによって、携帯端末１３０が社内に滞在（Ａ〜Ｙ基地局のエリアに滞在）し、そのあとオフィスビルの出入り口付近に移動（Ｚ基地局のエリアにＩＮ）すると、携帯端末１３０で直ちにモード変更を行って、キー操作ロックを有効にさせることができる。
【００８８】
なお、ルール１を設定するだけでは、携帯端末１３０がＺ基地局のエリアにある出入り口以外から社外に出た場合には、キー操作ロックが有効にならないので、図９に示すルール２を設定してもよい。
【００８９】
ルール２には、「携帯端末１３０がＡ〜Ｚ基地局のいずれかのエリアからも外に出た場合に、１０分後にキー操作ロックを実行する」ようにスクリプトを記述する。このようなルール２を設定することによって、携帯端末１３０が、Ｚ基地局のエリアにある出入り口以外から社外に出た場合には、即座ではないものの、１０分後にはキー操作ロックを有効にすることができる。すなわち、社外に出ると自動的にキー操作ロックを有効にすることができる。
【００９０】
実施例２．
図１０は、図１に示された移動通信システムにおける他の実施例を示す説明図である。図１０を参照して、社外から社内に戻った場合に、自動的に携帯端末のキー操作ロックを解除する実施例を説明する。
【００９１】
実施例２において、図１０に示すルール３を設定する。ルール３には、「携帯端末１３０がＡ〜Ｙ基地局のいずれのエリアにも滞在しておらず、Ｚ基地局のエリアに移行したときに、キー操作ロックの解除を実行する」ようにスクリプトを記述する。すなわち、「if (Ｚ基地局ＩＮ < (Ａ基地局ＩＮ or … or Ｙ基地局ＩＮ) ) then {キー操作ロックをＯＮにするコマンドを即時実行} 」のように記述する。このようなルール３を設定することによって、社外にあった携帯端末１３０が、オフィスビルの出入り口付近に移動（Ｚ基地局のエリアにＩＮ）すると、携帯端末１３０で、直ちにモード変更を行って、キー操作ロックの解除を実行させることができる。
【００９２】
なお、ルール３を設定するだけでは、携帯端末１３０がＺ基地局のエリアにある出入り口以外から社内に戻ってきた場合には、キー操作ロックを解除することができないので、図１０に示すルール４を設定してもよい。
【００９３】
ルール４には、「携帯端末１３０がＡ〜Ｙ基地局のいずれかのエリアのうち２つ以上に滞在したらキー操作ロックの解除を実行する」ようにスクリプトを記述する。このスクリプトを if 文などの単純な条件式を用いたスクリプトでそのまま表現することは困難である。しかし、携帯端末１３０が、２つ以上の基地局（例えば、Ａ基地局およびＢ基地局）のエリアに連続して存在することを抽出するスクリプトを、例えば、「Ａ基地局のエリアにＩＮしてＢ基地局のエリアにＩＮした」というように記述することによって表現することができる。このようなルール４を設定することによって、社外にいた携帯端末１３０が、Ｚ基地局のエリアにある出入り口以外から社内に戻ってきた場合であっても、キー操作ロックを自動的に解除することができる。
【００９４】
図１１は、本発明による移動通信システムの主要な構成を示すブロック図である。図１１に示すように、移動通信システムは、携帯端末１（例えば、図１に示す携帯端末１３０に相当）と、携帯端末１と通信可能な複数の基地局２（例えば、図１に示す基地局１２０Ａ，１２０Ｂ，１２０Ｃに相当）と、基地局２と通信可能な連携サーバ３（例えば、図１に示す連携サーバ１１０に相当）とを備えた移動通信システムであって、連携サーバ３は、基地局２のエリアに出入する携帯端末１の検出結果（例えば、図２に示す端末入出管理手段１２３が通知する出入情報に相当）から携帯端末１の位置情報を取得する端末位置管理手段３１（例えば、図２に示す端末位置管理手段１１１に相当）と、端末位置管理手段３１によって取得された携帯端末１の位置情報に基づく携帯端末１の滞在履歴（例えば、図３に示す端末情報３１０の基地局滞在履歴３１３に相当）と、携帯端末１ごとに指定されるモード設定のルールを示すスクリプト（例えば、図３に示すルール情報３２０のスクリプト３２２に相当）とを格納する履歴格納手段３２（例えば、図２に示すルール・履歴ＤＢ１１４に相当）と、履歴格納手段３２に格納された滞在履歴に基づいてスクリプトを起動して携帯端末ごとのモード変更コマンドを決定するルール照合手段３３（例えば、図２に示すルール照合手段１１２に相当）と、ルール照合手段３３によって決定されたモード変更コマンド（例えば、図４に示す基地局内モード変更コマンドデータ３４０に相当）を基地局に送信する基地局モード変更コマンド送信手段３４（例えば、図２に示す基地局モード変更コマンド送信手段１１３に相当）とを含み、基地局２は、当該基地局２のエリアに出入する携帯端末１を検出して連携サーバに検出結果を通知する端末入出管理手段２１（例えば、図２に示す端末入出管理手段１２３に相当）と、連携サーバ３の基地局モード変更コマンド送信手段３４からモード変更コマンドを受信する基地局モード変更コマンド受信手段２２（例えば、図２に示す基地局モード変更コマンド受信手段１２１に相当）と、基地局モード変更コマンド受信手段２２が受信したモード変更コマンドを格納する基地局モード変更コマンド格納手段２３（例えば、図２に示すモード変更コマンドＤＢ１２４に相当）と、基地局モード変更コマンド格納手段２３によって格納されたモード変更コマンド（例えば、図４に示す携帯端末内モード変更コマンドデータ３５０に相当）を、当該基地局２のエリア内に存在する携帯端末１に送信する端末モード変更コマンド送信手段２４（例えば、図２に示す端末モード変更コマンド送信手段１２２に相当）とを含み、携帯端末１は、基地局２の端末モード変更コマンド送信手段２４からモード変更コマンドを受信する端末モード変更コマンド受信手段１１（例えば、図２に示す端末モード変更コマンド受信手段１３１に相当）と、端末モード変更コマンド受信手段１１が受信したモード変更コマンドを実行して当該携帯端末１のモード設定を変更するモード変更手段１２（例えば、図２に示すモード変更手段１３３に相当）とを含む。
【００９５】
また、上記の実施形態には、以下の（１）〜（１０）に示すような移動通信システムも開示されている。
【００９６】
（１）ルール照合手段は、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する移動通信システム（例えば、携帯端末１３０が基地局の複数のエリアを通過する順序を条件に考慮する場合のスクリプト３２２の記述例に示されたスクリプトを用いることによって実現される。）。
【００９７】
（２）端末モード変更コマンド送信手段は、端末入出管理手段が携帯端末が当該基地局のエリアに入ったことを検出すると、当該基地局の基地局モード変更コマンド格納手段に格納されているモード変更コマンドを直ちに携帯端末に送信し、ルール照合手段は、端末入出管理手段によって携帯端末が基地局のエリアに入ったことを通知されると、最新のモード変更コマンドを決定し、基地局モード変更コマンド送信手段は、ルール照合手段によって決定された最新のモード変更コマンドを基地局モード変更コマンド受信手段に送信し、端末モード変更コマンド送信手段は、基地局モード変更コマンド受信手段が受信した最新のモード変更コマンドを携帯端末に改めて送信する移動通信システム（例えば、図５に示すステップＳ４１５〜Ｓ４２４における動作によって実現される。）。
【００９８】
（３）モード変更手段は、モード変更コマンドに時差が設定されている場合には、当該モード変更コマンドの実行を設定された時間の分だけ遅らせて開始する移動通信システム（例えば、モード変更コマンド３３０の時差３３３に０以外が記述された場合の動作によって実現される。）。
【００９９】
（４）モード変更コマンドは、携帯端末が基地局のエリアに入ったときに実行されるＩＮコマンド、または、携帯端末が基地局のエリアから出たときに実行されるＯＵＴコマンドである移動通信システム。
【０１００】
（５）携帯端末は、ＯＵＴコマンドを格納したコマンド格納手段（例えば、図２に示す端末モード変更コマンド記憶装置１３５に相当）と、携帯端末が通信する基地局の変更を検出する基地局情報取得手段（例えば、図２に示す基地局情報取得手段１３４に相当）とを備え、基地局情報取得手段が、携帯端末が、コマンド格納手段に格納されたＯＵＴコマンドで指定される基地局と通信を行わなくなったことを検出すると、モード変更手段は、ＯＵＴコマンドを実行して当該携帯端末のモード設定を変更する移動通信システム（例えば、図６に示すステップＳ４３０〜Ｓ４３１における動作によって実現される。）。
【０１０１】
（６）モード変更コマンドは、携帯端末のキー操作をロックするモードの設定を変更する移動通信システム。
【０１０２】
（７）モード変更コマンドは、携帯端末のマナーモードの設定を変更する移動通信システム。
【０１０３】
（８）モード変更コマンドは、携帯端末の無線ＬＡＮ機能の設定を変更する移動通信システム。
【０１０４】
（９）モード変更コマンドは、携帯端末の電源状態の設定を変更する移動通信システム。
【０１０５】
（１０）基地局は、ある業務空間の出入り口をエリアとする１つ以上の基地局と、業務空間の内部をエリアとする複数の基地局とを含み、ルール照合手段は、携帯端末が基地局のエリアに出入した滞在履歴に基づいて、当該携帯端末が業務空間から外に出たか、または業務空間の中に入ったかをモード設定を変更する条件とするモード変更コマンドを決定する（例えば、実施例１および実施例２の移動通信システムによって実現される。）。
【０１０６】
また、上記の実施形態には、以下の（１１）〜（１２）に示すような自動モード変更方法も開示されている。
【０１０７】
（１１）連携サーバが、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する自動モード変更方法。
【０１０８】
（１２）基地局が、携帯端末が当該基地局のエリアに入ったことを検出すると、当該基地局に格納されているモード変更コマンドを直ちに携帯端末に送信し、検出結果が通知された連携サーバが、決定された最新のモード変更コマンドを受信すると、最新のモード変更コマンドを携帯端末に改めて送信する自動モード変更方法。
【０１０９】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【０１１０】
この出願は、２００９年６月２９日に出願された日本特許出願２００９−１５４２１３を基礎とする優先権を主張し、その開示の全てをここに取り込む。
【産業上の利用可能性】
【０１１１】
本発明を、携帯電話端末のマナーモードやキー操作ロックなどのモードの設定について、携帯端末ユーザの自主的な判断ではなく、フェムト基地局や無線ＬＡＮ基地局を管理する移動通信システムのシステム運用管理者によって自動的にきめ細かくモードを変更できる移動通信システムに適用することができる。
【符号の説明】
【０１１２】
１      携帯端末
２      基地局
３      連携サーバ
１１    端末モード変更コマンド受信手段
１２    モード変更手段
２１    端末入出管理手段
２２    基地局モード変更コマンド受信手段
２３    基地局モード変更コマンド格納手段
２４    端末モード変更コマンド送信手段
３１    端末位置管理手段
３２    履歴格納手段
３３    ルール照合手段
３４    基地局モード変更コマンド送信手段
１００  外部基地局
１１０  連携サーバ
１１１  端末位置管理手段
１１２  ルール照合手段
１１３  基地局モード変更コマンド送信手段
１１４  ルール・履歴ＤＢ
１２０Ａ，１２０Ｂ，１２０Ｃ  基地局
１２１  基地局モード変更コマンド受信手段
１２２  端末モード変更コマンド送信手段
１２３  端末入出管理手段
１２４  モード変更コマンドＤＢ
１３０  携帯端末
１３１  端末モード変更コマンド受信手段
１３２  自律的モード変更管理手段
１３３  モード変更手段
１３４  基地局情報取得手段
１３５  端末モード変更コマンド記憶装置
３１０  端末情報
３１１  端末ＩＤ
３１２  ルールＩＤ群
３１３  基地局滞在履歴
３２０  ルール情報
３２１  ルールＩＤ
３２２  スクリプト
３３０  モード変更コマンド
３３１  コマンドＩＤ
３３２，６１１  実行タイミング
３３３  時差
３３４，６１２  モード種別
３３５，６１３  変更モード
３４０  基地局内モード変更コマンドデータ
３４１  端末ＩＤ
３４２，３５２  ＩＮコマンド群
３４３，３５３  ＯＵＴコマンド群
３５０  携帯端末内モード変更コマンドデータ
６１０  コマンド
【図１】
2011001615.tif 000003
【図２】
2011001615.tif 000004
【図３】
2011001615.tif 000005
【図４】
2011001615.tif 000006
【図５】
2011001615.tif 000007
【図６】
2011001615.tif 000008
【図７】
2011001615.tif 000009
【図８】
2011001615.tif 000010
【図９】
2011001615.tif 000011
【図１０】
2011001615.tif 000012
【図１１】
2011001615.tif 000013
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
携帯端末と、前記携帯端末と通信可能な複数の基地局と、前記基地局と通信可能な連携サーバとを備えた移動通信システムであって、
前記連携サーバは、
前記基地局のエリアに出入する携帯端末の検出結果から前記携帯端末の位置情報を取得する端末位置管理手段と、
端末位置管理手段によって取得された携帯端末の位置情報に基づく前記携帯端末の滞在履歴と、前記携帯端末ごとに指定されるモード設定のルールを示すスクリプトとを格納する履歴格納手段と、
履歴格納手段に格納された前記滞在履歴に基づいて前記スクリプトを起動して携帯端末ごとのモード変更コマンドを決定するルール照会手段と、
前記ルール照会手段によって決定されたモード変更コマンドを前記基地局に送信する基地局モード変更コマンド送信手段とを含み、
前記基地局は、
当該基地局のエリアに出入する携帯端末を検出して前記連携サーバに検出結果を通知する端末入出管理手段と、
前記連携サーバの基地局モード変更コマンド送信手段からモード変更コマンドを受信する基地局モード変更コマンド受信手段と、
前記基地局モード変更コマンド受信手段が受信したモード変更コマンドを格納する基地局モード変更コマンド格納手段と、
前記基地局モード変更コマンド格納手段によって格納されたモード変更コマンドを、当該基地局のエリア内に存在する前記携帯端末に送信する端末モード変更コマンド送信手段とを含み、
前記携帯端末は、
前記基地局の端末モード変更コマンド送信手段からモード変更コマンドを受信する端末モード変更コマンド受信手段と、
前記端末モード変更コマンド受信手段が受信したモード変更コマンドを実行して当該携帯端末のモード設定を変更するモード変更手段とを含む
ことを特徴とする移動通信システム。
【請求項２】
ルール照合手段は、携帯端末が基地局のエリアに滞在した順序をモード設定の条件とするスクリプトを起動してモード変更コマンドを決定し、決定したモード変更コマンドを基に、各基地局に送信するモード変更コマンドを基地局ごとに選択する
請求項１記載の移動通信システム。
【請求項３】
端末モード変更コマンド送信手段は、端末入出管理手段が携帯端末が当該基地局のエリアに入ったことを検出すると、当該基地局の基地局モード変更コマンド格納手段に格納されているモード変更コマンドを直ちに前記携帯端末に送信し、
ルール照合手段は、前記端末入出管理手段によって前記携帯端末が前記基地局のエリアに入ったことを通知されると、最新のモード変更コマンドを決定し、
基地局モード変更コマンド送信手段は、前記ルール照合手段によって決定された最新のモード変更コマンドを基地局モード変更コマンド受信手段に送信し、
端末モード変更コマンド送信手段は、前記基地局モード変更コマンド受信手段が受信した最新のモード変更コマンドを前記携帯端末に改めて送信する
請求項１または請求項２記載の移動通信システム。
【請求項４】
モード変更手段は、モード変更コマンドに時差が設定されている場合には、当該モード変更コマンドの実行を設定された時間の分だけ遅らせて開始する
請求項１から請求項３のうちのいずれか１項に記載の移動通信システム。
【請求項５】
モード変更コマンドは、携帯端末が所定の基地局のエリアに入ったときに実行されるＩＮコマンド、または、携帯端末が所定の基地局のエリアから出たときに実行されるＯＵＴコマンドである
請求項１から請求項４のうちのいずれか１項に記載の移動通信システム。
【請求項６】
携帯端末は、
ＯＵＴコマンドを格納したコマンド格納手段と、
前記携帯端末が通信する基地局の変更を検出する基地局情報取得手段とを備え、
前記基地局情報取得手段が、前記携帯端末が、前記コマンド格納手段に格納されたＯＵＴコマンドで指定される基地局と通信を行わなくなったことを検出すると、モード変更手段は、前記ＯＵＴコマンドを実行して当該携帯端末のモード設定を変更する
請求項５記載の移動通信システム。
【請求項７】
モード変更コマンドは、携帯端末のキー操作をロックするモードの設定を変更する
請求項１から請求項６のうちのいずれか１項に記載の移動通信システム。
【請求項８】
モード変更コマンドは、携帯端末のマナーモードの設定を変更する
請求項１から請求項７のうちのいずれか１項に記載の移動通信システム。
【請求項９】
モード変更コマンドは、携帯端末の無線ＬＡＮ機能の設定を変更する
請求項１から請求項８のうちのいずれか１項に記載の移動通信システム。
【請求項１０】
モード変更コマンドは、携帯端末の電源状態の設定を変更する
請求項１から請求項９のうちのいずれか１項に記載の移動通信システム。
【手続補正３】
【補正対象書類名】明細書
【補正対象項目名】０００１
【補正方法】変更
【補正の内容】
【０００１】
本発明は、基地局を経由して通話を行う携帯端末のための移動通信システムにおいて、携帯端末の基地局のエリアにおける移動状態に従って、携帯端末のモードを自動的に変更する移動通信システムに関する。
【手続補正４】
【補正対象書類名】明細書
【補正対象項目名】０００８
【補正方法】変更
【補正の内容】
【０００８】
そこで、本発明は、複数の基地局が連携し、携帯端末による基地局のエリアへの出入に連動して携帯端末のモード設定を変更する移動通信システムを提供することを目的とする。
【国際調査報告】
2011001615.tif 000014
2011001615.tif 000015
2011001615.tif 000016
2011001615.tif 000017